(57)【要約】【課題】コ字状の綴じ針における中央部が被止着物の表面に密着し又は被止着物の表面に食い込むおそれのないステープラーを提供する。【解決手段】ベース１１と、綴じ針を収納するフレーム１３と、フレーム内の綴じ針を押える押え板１５と、綴じ針を打ち出す押刃１７を備えたハンドル１９とを一端部２１にて回動自在に軸着し、該ベースには綴じ針をクリンチするアンビル２５を備えさる。押え板におけるハンドルに臨む面１５ａにスペーサ４１を前後方向に位置調節自在に取り付け、該スペーサの前部にはハンドルの押刃に形成された中央孔４３に遊嵌された押え板の突端４５に対応する凸部４７を備えさせ、該スペーサを前方に動かしたときに該スペーサの凸部が該押刃の中央孔内における押え板の突端上に位置し、該スペーサを後方に動かしたときに該スペーサの凸部が該押刃の中央孔から脱出するようになす。【選択図】図１
2008018512.tif 000002
【特許請求の範囲】
【請求項１】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記押え板におけるハンドルに臨む面にスペーサを前後方向に位置調節自在に取り付け、該スペーサの前部にはハンドルの押刃に形成された中央孔に遊嵌された押え板の突端に対応する凸部を備えさせ、該スペーサを前方に動かしたときに該スペーサの凸部が該押刃の中央孔内における押え板の突端上に位置し、該スペーサを後方に動かしたときに該スペーサの凸部が該押刃の中央孔から脱出するようにしたことを特徴とするステープラー。
【請求項２】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームにおけるベースに臨む面にスペーサを前後方向に位置調節自在に取り付けたことを特徴とするステープラー。
【請求項３】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記ハンドルにはこれを内外に貫通する調節ネジを螺挿し、該調節ネジは前記押え板に接離する方向に進退可能であることを特徴とするステープラー。
【発明の詳細な説明】
【技術分野】
【０００１】
本発明は、ステープラーに関するものである。
【背景技術】
【０００２】
ステープラーは、書類、紙片等を相互に止着し又は書類、紙片等を壁面等に止着するための簡便な道具として従来より広く使用されている。
【０００３】
本出願においては、ステープラーにより止着される書類、紙片等を「被止着物」という。
【０００４】
ステープラーとしては、例えば特開２００４−１４２０７４号公報に示すように、ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるものが知られている。
【特許文献１】特開２００４−１４２０７４号公報
【発明の開示】
【発明が解決しようとする課題】
【０００５】
上記従来のステープラーにおいては、被止着物を相互に止着し又は被止着物を壁面等に止着する際に、図２３、図２５に示すように、中央部１ａの両端を直角に折曲して一対の脚部１ｂ、１ｂを形成してなるコ字状の綴じ針１における該中央部１ａは、被止着物３の表面に密着し又は被止着物３の表面に食い込む。なお、符号５に示すものは壁におけるプラスターボードの下地、符号７に示すものは該下地５上に固着されたクロスである。
【０００６】
もとより、コ字状の綴じ針１における中央部１ａが被止着物３の表面に密着し又は被止着物３の表面に食い込むことは、被止着物３を確実に止着するという意味では好ましいのであるが、次のような問題を生じさせる。
【０００７】
（イ）コ字状の綴じ針１における中央部１ａが被止着物３の表面に密着し又は被止着物３の表面に食い込んだときには、綴じ針１を抜き取る作業が面倒であり、綴じ針１を抜き取る際に被止着物３又は壁のクロス７に傷が付くおそれがある。換言すれば、上記従来のステープラーは、被止着物３の仮止めには適さないということになる。
【０００８】
（ロ）コ字状の綴じ針１における中央部１ａが被止着物３の表面のみならず、壁のクロス７に食い込むおそれがある。綴じ針１の中央部１ａが被止着物３の表面又は壁のクロス７に食い込んだときには、該被止着物３又はクロス７に綴じ針１の跡が残る。
【０００９】
（ハ）特に、被止着物３又はクロス７が柔らかな場合、綴じ針１の中央部１ａが該被止着物３又はクロス７に食い込み、該被止着物３又はクロス７に綴じ針１の跡が形成され易い。
【００１０】
（ニ）コ字状の綴じ針１における中央部１ａが被止着物３の表面に密着し又は被止着物３の表面に食い込んだときには、被止着物３に綴じ針１の大きな穴が形成されるおそれがある。
【００１１】
本発明は、上記従来のステープラーにおける上述の如き問題を解決しようとしてなされたものである。
【００１２】
即ち、本発明は、コ字状の綴じ針における中央部が被止着物の表面に密着し又は被止着物の表面に食い込むおそれのないステープラーを提供することにより、上記従来のステープラーにおける上述の如き問題を解決するものである。
【課題を解決するための手段】
【００１３】
上記課題を解決するために、本発明は、下記のステープラーを提供するものである。
【００１４】
（１）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記押え板におけるハンドルに臨む面にスペーサを前後方向に位置調節自在に取り付け、該スペーサの前部にはハンドルの押刃に形成された中央孔に遊嵌された押え板の突端に対応する凸部を備えさせ、該スペーサを前方に動かしたときに該スペーサの凸部が該押刃の中央孔内における押え板の突端上に位置し、該スペーサを後方に動かしたときに該スペーサの凸部が該押刃の中央孔から脱出するようにしたことを特徴とするステープラー（請求項１）。
【００１５】
（２）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームにおけるベースに臨む面にスペーサを前後方向に位置調節自在に取り付けたことを特徴とするステープラー（請求項２）。
【００１６】
（３）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記ハンドルにはこれを内外に貫通する調節ネジを螺挿し、該調節ネジは前記押え板に接離する方向に進退可能であることを特徴とするステープラー（請求項３）。
【００１７】
本出願において、「前」とは、ベースとフレームと押え板とハンドルとが軸着されている一端部から他端部に向かう方向をいい、「後」とは「前」と反対の方向をいうものとする。
【発明の効果】
【００１８】
［請求項１の発明］
スペーサを前方に動かすことにより該スペーサの凸部を押刃の中央孔内における押え板の突端上に位置させた場合、被止着物を止着する際にハンドルをフレーム方向に押圧したときには、押え板の突端はスペーサの凸部を介して押刃の中央孔における上縁に当接する。従って、ハンドルの押刃が綴じ針を打ち出すストロークはスペーサの凸部の分だけ短くなる。図３〜図７参照。その結果、コ字状の綴じ針における中央部（１ａ）と被止着物（３）の表面との間に隙間（１ｃ）が生ずる。換言すれば、綴じ針の中央部（１ａ）は被止着物（３）の表面から浮いた状態となる。図２２、図２４参照。
【００１９】
従って、綴じ針は容易に抜き取ることができ、綴じ針を抜き取る際に被止着物又は壁のクロスに傷が付くおそれはない。即ち、ステープラーを被止着物の仮止め用に好ましく使用することができる。
【００２０】
コ字状の綴じ針における中央部が被止着物の表面又は壁のクロスに食い込むことがないため、該被止着物又はクロスに綴じ針の跡が残るおそれはない。
【００２１】
特に、被止着物又はクロスが柔らかな場合であっても、該被止着物又はクロスに綴じ針の跡が形成されることはない。
【００２２】
綴じ針の中央部が被止着物の表面に密着し又は被止着物の表面に食い込むことがないため、被止着物に綴じ針の大きな穴が形成されるおそれはない。
【００２３】
一方、スペーサを後方に動かすことにより該スペーサの凸部を押刃の中央孔から脱出させたときには、ステープラーは従来のステープラーと同様に使用することができる。図８、図９参照。
【００２４】
［請求項２の発明］
フレームにおけるベースに臨む面に取り付けたスペーサを前方に動かした場合、被止着物を止着する際にハンドルをフレーム方向に押圧したときには、フレームの底面は該スペーサを介して被止着物に当接する。従って、綴じ針が被着物に打ち込まれる深さが浅くなる。図１２〜図１４参照。その結果、コ字状の綴じ針における中央部（１ａ）と被止着物（３）の表面との間に隙間（１ｃ）が生ずる。換言すれば、綴じ針の中央部（１ａ）は被止着物（３）の表面から浮いた状態となる。図２２、図２４参照。
【００２５】
従って、請求項２の発明は、上記請求項１の発明と同様の効果を発揮する。
【００２６】
また、スペーサを後方に動かしたときには、ステープラーは従来のステープラーと同様に使用することができる。図１５〜図１７参照。
【００２７】
請求項２の発明は、更に下記の如き優れた効果を発揮する。
【００２８】
スペーサは前後方向に位置調節自在であるため、被止着物を壁面等に止着する際に、該スペーサを被止着物における綴じ針の打ち込み位置を決めるための定規の如く利用することができる。図１７参照。
【００２９】
更に、壁面のクロスに被止着物を止着する際に、スペーサがクロスに当接し、フレームはクロスに当接しないため、該クロスに傷が着きにくくなる。
【００３０】
［請求項３の発明］
ハンドルに螺挿した調節ネジを締め付けて該調節ネジの先端を押え板に接近する方向に動かした場合、被止着物を止着する際にハンドルをフレーム方向に押圧したときには、該調節ネジがフレーム内の綴じ針を押える押え板に当接するため、ハンドルのストロークが短くなる。従って、ハンドルの押刃が綴じ針を打ち出すストロークは短くなる。即ち、ハンドルの押刃が綴じ針を打ち出す際に、押え板の突端と押刃の中央孔における上縁との間に隙間ｄが存する。図１８、図１９参照。その結果、コ字状の綴じ針における中央部（１ａ）と被止着物（３）の表面との間に隙間（１ｃ）が生ずる。換言すれば、綴じ針の中央部（１ａ）は被止着物（３）の表面から浮いた状態となる。図２２、図２４参照。
【００３１】
従って、請求項３の発明は、上記請求項１の発明と同様の効果を発揮する。
【００３２】
一方、ハンドルに螺挿した調節ネジを緩めて該調節ネジの先端を押え板から離れる方向に動かした場合、ステープラーは従来のステープラーと同様に使用することができる。図２０、図２１参照。
【発明を実施するための最良の形態】
【００３３】
まず、本発明のステープラーが上記従来のステープラーと共通する点について説明する。
【００３４】
本発明のステープラーは、上記従来のステープラーと同様に、ベース１１と、綴じ針１を収納するフレーム１３と、フレーム１３内の綴じ針１を押える押え板１５と、綴じ針１を打ち出す押刃１７を備えたハンドル１９とを一端部２１にて回動自在に軸２３を介して軸着し、該ベース１１には綴じ針１をクリンチするアンビル２５を備えさせ、該フレーム１３内にはガイド軸２７を前後方向に配設し、該ガイド軸２７にはスライダ２９を摺動自在に支持させ、該スライダ２９をバネ３１により常時前方に付勢してなるものである。
【００３５】
押刃１７は、ハンドル１９に固定されたバネ体１８の先端に形成され、該バネ体１８の他端２０は押え板１５を常時フレーム１３方向に付勢している。
【００３６】
スライダ２９は、フレーム１３内の綴じ針１を常時前方に押す。
【００３７】
符号３３に示すものは、ハンドル１９をフレーム１３から離れる方向に回動させたときにバネ３１の力に抗してスライダ２９を後方に引く引き杆である。
【００３８】
符号３５に示すものはベース１１に一端を固定したバネであり、符号３７に示すものは被止着物３に打ち込まれた綴じ針１を除去するためのリムーバーである。
【００３９】
以下、本発明のステープラーが上記従来のステープラーと相違する点について説明する。
【００４０】
まず、図１〜図９に示す事例について説明する。
【００４１】
押え板１５におけるハンドル１９に臨む面１５ａにスペーサ４１を前後方向に位置調節自在に取り付け、該スペーサ４１の前部にはハンドル１９の押刃１７に形成された中央孔４３に遊嵌された押え板１５の突端４５に対応する凸部４７を備えさせ、該スペーサ４１を前方に動かしたときに該スペーサ４１の凸部４７が該押刃１７の中央孔４３内における押え板１５の突端４５上に位置し、該スペーサ４１を後方に動かしたときに該スペーサ４１の凸部４７が該押刃１７の中央孔４３から脱出するようになす。
【００４２】
図示の事例においては、フレーム１３は上面を開口した断面略コ字状体であり、押え板１５は下面を開口した断面略コ字状体である。押え板１５はフレーム１３に内挿される。
【００４３】
スペーサ４１は、一例として、前部に凸部４７を備えた板状本体部４９の両側縁部５０、５０を下方に折曲してなるものである。スペーサ４１は、押え板１５とフレーム１３とに跨乗する。
【００４４】
押刃１７の中央孔４３は、長方形状をなす。
【００４５】
図７に示す事例は、ベース１１をフレーム１３、押え板１５及びハンドル１９に対して約１８０度回動させて開いた状態で、壁における下地５上のクロス７に被止着物３を止着している状態を示す。
【００４６】
次に、図１０〜図１７に示す事例について説明する。
【００４７】
この事例においては、フレーム１３におけるベース１１に臨む面１３ａにスペーサ５１を前後方向に位置調節自在に取り付けている。
【００４８】
スペーサ５１は、一例として、角柱体の上面に全長にわたる切欠部５３を形成してなるものとする。このスペーサ５１は、フレーム１３に外嵌する。
【００４９】
図１４、図１７に示す事例は、ベース１１をフレーム１３、押え板１５及びハンドル１９に対して約１８０度回動させて開いた状態で、壁における下地５上のクロス７に被止着物３を止着している状態を示す。
【００５０】
更に、図１８〜図２１に示す事例について説明する。
【００５１】
この事例においては、ハンドル１９にはこれを内外に貫通する調節ネジ６１を螺挿し、該調節ネジ６１は押え板１５に接離する方向に進退可能である。即ち、該調節ネジ６１の先端６１ａを押え板１５に臨ませている。
【００５２】
図１９に示す事例は、ベース１１をフレーム１３、押え板１５及びハンドル１９に対して約１８０度回動させて開いた状態で、壁における下地５上のクロス７に被止着物３を止着している状態を示す。
【図面の簡単な説明】
【００５３】
【図１】本発明によるステープラーの一例を示す斜視図である。
【図２】スペーサの一例を示す斜視図である。
【図３】同上ステープラーの使用状態を概略的に示す正面図である。
【図４】同上の別の正面図である。
【図５】同上ステープラーにおいて、スペーサを前方に動かすことによりスペーサの凸部を押刃の中央孔内における押え板の突端上に位置させた状態を示す断面図である。
【図６】同上の別の断面図である。
【図７】同上の更に別の断面図である。
【図８】同上ステープラーにおいて、スペーサを後方に動かすことにより該スペーサの凸部を押刃の中央孔から脱出させた状態を示す断面図である。
【図９】同上の別の断面図である。
【図１０】本発明によるステープラーの別の一例を示す斜視図である。
【図１１】スペーサの別の一例を示す斜視図である。
【図１２】同上ステープラーにおいて、スペーサを前方に動かした状態を示す断面図である。
【図１３】同上の別の断面図である。
【図１４】同上の更に別の断面図である。
【図１５】同上ステープラーにおいて、スペーサを後方に動かした状態を示す断面図である。
【図１６】同上の別の断面図である。
【図１７】同上の更に別の断面図である。
【図１８】本発明によるステープラーの更に別の一例において、ハンドルに螺挿した調節ネジを締め付けて該調節ネジの先端を押え板に接近する方向に動かした状態を示す断面図である。
【図１９】同上の別の断面図である。
【図２０】同上ステープラーにおいて、ハンドルに螺挿した調節ネジを緩めて該調節ネジの先端を押え板から離れる方向に動かした状態を示す断面図である。
【図２１】同上の別の断面図である。
【図２２】コ字状の綴じ針における中央部と被止着物の表面との間に隙間が生じた状態を示す断面図である。
【図２３】コ字状の綴じ針における中央部が被止着物の表面に密着し又は被止着物の表面に食い込んだ状態を示す断面図である。
【図２４】コ字状の綴じ針における中央部と被止着物の表面との間に隙間が生じた状態を示す別の断面図である。
【図２５】コ字状の綴じ針における中央部が被止着物の表面に密着し又は被止着物の表面に食い込んだ状態を示す別の断面図である。
【符号の説明】
【００５４】
１  綴じ針
１ａ  中央部
１ｂ  脚部
１ｃ  隙間
３  被止着物
５  下地
７  クロス
１１  ベース
１３  フレーム
１３ａ  ベースに臨む面
１５  押え板
１５ａ  ハンドルに臨む面
１７  押刃
１８  バネ体
１９  ハンドル
２０  他端
２１  一端部
２３  軸
２５  アンビル
２７  ガイド軸
２９  スライダ
３１  バネ
３３  引き杆
３５  バネ
３７  リムーバー
４１  スペーサ
４３  中央孔
４５  突端
４７  凸部
４９  板状本体部
５０  縁部
５１  スペーサ
５３  切欠部
６１  調節ネジ
６１ａ  先端
【図１】
2008018512.tif 000003
【図２】
2008018512.tif 000004
【図３】
2008018512.tif 000005
【図４】
2008018512.tif 000006
【図５】
2008018512.tif 000007
【図６】
2008018512.tif 000008
【図７】
2008018512.tif 000009
【図８】
2008018512.tif 000010
【図９】
2008018512.tif 000011
【図１０】
2008018512.tif 000012
【図１１】
2008018512.tif 000013
【図１２】
2008018512.tif 000014
【図１３】
2008018512.tif 000015
【図１４】
2008018512.tif 000016
【図１５】
2008018512.tif 000017
【図１６】
2008018512.tif 000018
【図１７】
2008018512.tif 000019
【図１８】
2008018512.tif 000020
【図１９】
2008018512.tif 000021
【図２０】
2008018512.tif 000022
【図２１】
2008018512.tif 000023
【図２２】
2008018512.tif 000024
【図２３】
2008018512.tif 000025
【図２４】
2008018512.tif 000026
【図２５】
2008018512.tif 000027